(57)【要約】【課題】子犬が自分の寝場所と排泄場所を区別できて常に所定の排泄場所で排泄できるようにトレーニングすると共に、ペットショップの店員にとってケージ内の清掃が容易で作業時間及び労力の負担が少なくなるようにした子犬販売用ケージを提供する。【解決手段】ペットショップ内の顧客通路側に面する正面部１と、バックヤード側に面する背面部２と、左右側壁部３，３と、上下壁部４，５とによってケージ本体６を形成すると共に、正面部１と背面部２との中間に仕切り７を開閉可能に設けて、ケージ本体６内の空間を正面部１側に臨む寝床ルーム８と背面部２側に臨むトイレルーム９とに区画形成し、ケージ本体６の正面部１は透視窓とし、背面部２は透視可能で且つその全部又は一部を開閉可能とし、常時は子犬Ｐを寝床ルーム８に入れて仕切り７を閉じておき、所定時間毎に仕切り７を開けて子犬Ｐを寝床ルーム８からトイレルーム９に誘導して排泄させる。【選択図】図１
2008278767.tif 000002
【特許請求の範囲】
【請求項１】
ペットショップ内に陳列される小犬販売用ケージであって、ペットショップ内の顧客通路側に面する正面部と、その反対側のバックヤード側に面する背面部と、左右側壁部と、上下壁部とによってケージ本体を形成すると共に、正面部と背面部との中間に透視可能な仕切りを開閉可能に設けて、ケージ本体内の空間を正面部側に臨む寝床ルームと背面部側に臨むトイレルームとに区画形成し、ケージ本体の正面部は透視窓とし、背面部は透視可能で且つその全部又は一部を開閉可能とし、常時は小犬を寝床ルームに入れて仕切りを閉じておき、所定時間毎に仕切りを開けて小犬を寝床ルームからトイレルームに誘導して排泄させるようにしてなる小犬販売用ケージ。
【請求項２】
トイレルームには排泄用シーツをセットしたペットトレーを配置してなる請求項１に記載の小犬販売用ケージ。
【請求項３】
仕切りは透視可能な折り戸からなる請求項１又は２に記載の小犬販売用ケージ。
【請求項４】
仕切りは透視可能な引き違い戸からなる請求項１又は２に記載の小犬販売用ケージ。
【請求項５】
ケージ本体の正面部透視窓を開閉可能としてなる請求項１〜４の何れかに記載の小犬販売用ケージ。
【請求項６】
ケージ本体の正面部透視窓はガラス窓からなる請求項１〜５の何れかに記載の小犬販売用ケージ。
【発明の詳細な説明】
【技術分野】
【０００１】
本発明は、ペットショップの小犬販売コーナーに陳列される小犬販売用ケージに関するもので、自分の寝場所と排泄場所を区別できて常に所定の排泄場所で排泄ができるように基本的なトレーニングを行なわせるようにした小犬販売用ケージに関する。
【背景技術】
【０００２】
従来の小犬販売用ケージとして特許公報等の具体的な公知文献を挙げることはできないが、従来よりペットショップの小犬販売コーナーに陳列されている小犬販売用ケージは、ペットショップ内の顧客通路側に面する正面側の透視窓部と、その反対側のバックヤード側に面する開閉可能な背面側扉と、左右側壁部と、上下壁部とにより構成されるもので、このケージ内のワンルームに小犬を入れておくようになっている。
【発明の開示】
【発明が解決しようとする課題】
【０００３】
犬は、本能的に自分の寝る場所や食事の場所をできるだけ清潔に保とうとし、寝る場所と排泄する場所とを分ける習性を有する。然るに、ケージ内のワンルームに小犬を入れておくようにした従来の小犬販売用ケージによると、寝場所が排泄場所であり、排泄場所が寝場所であることから、小犬は、寝場所と排泄場所との区別がつかなくなると共に、寝場所を汚すことに慣れてしまって、好ましくない習慣を身につけることになり、また排泄場所と寝場所が同じスペースにあることで、ケージ内の小犬の排泄物によって自分の体を汚し易く、ショップ来店客にも不衛生な印象を与えることになり、一方、ペットショップの店員は、頻繁にケージ内を掃除しなければならず、しかもケージ内を掃除する時に店員は、小犬を抱きかかえながらの清掃作業を余儀なくされるため、店員にとって作業時間及び労力ともに大きな負担となっている。
【０００４】
本発明は、上記の課題に鑑み、販売すべき小犬が自分の寝場所と排泄場所を区別できて常に所定の場所で排泄できるようにトレーニングすると共に、ペットショップの店員にとってケージ内の清掃が容易で、作業時間及び労力の負担が少なくなるようにした小犬販売用ケージを提供することを目的とする。
【課題を解決するための手段】
【０００５】
上記課題を解決するための手段を、後述する実施形態の参照符号を付して説明すると、請求項１に係る発明の小犬販売用ケージは、ペットショップ内に陳列される小犬販売用ケージであって、ペットショップ内の顧客通路側に面する正面部１と、その反対側のバックヤード側に面する背面部２と、左右側壁部３，３と、上下壁部４，５とによってケージ本体６を形成すると共に、正面部１と背面部２との中間に透視可能な仕切り７を開閉可能に設けて、ケージ本体６内の空間を正面部１側に臨む寝床ルーム８と背面部２側に臨むトイレルーム９とに区画形成し、ケージ本体６の正面部１は透視窓とし、背面部２は透視可能で且つその全部又は一部を開閉可能とし、常時は小犬Ｐを寝床ルーム８に入れて仕切り７を閉じておき、所定時間毎に仕切り７を開けて小犬Ｐを寝床ルーム８からトイレルーム９に誘導して排泄させるようにしてなることを特徴とする。ここで、正面部１と背面部２との中間とは、正面部１と背面部２との間という意味で、仕切り７は、正面部１に寄った位置でも、背面部２に寄った位置でもよく、また正面部１と背面部２との真ん中でもよく、従って寝床ルーム８をトイレルーム９より狭くしてもよいし、それより広くしてもよく、また両ルーム８，９を同じ大きさにしてもよい。
【０００６】
請求項２は、請求項１に記載の小犬販売用ケージにおいて、トイレルーム９には排泄用シーツ１７をセットしたペットトレー１８を配置してなることを特徴とする。
【０００７】
請求項３は、請求項１又は２に記載の小犬販売用ケージにおいて、仕切り７は透視可能な折り戸からなることを特徴とする。
【０００８】
請求項４は、請求項１又は２に記載の小犬販売用ケージにおいて、仕切りは透視可能な引き違い戸からなることを特徴とする。
【０００９】
請求項５は、請求項１〜４の何れかに記載の小犬販売用ケージにおいて、ケージ本体の正面部透視窓を開閉可能としてなることを特徴とする。
【００１０】
請求項６は、請求項１〜５の何れかに記載の小犬販売用ケージにおいて、ケージ本体の正面部透視窓はガラス窓からなることを特徴とする。
【発明の効果】
【００１１】
上記解決手段による発明の効果を、後述する実施形態の参照符号を付して説明すると、請求項１に係る発明の小犬販売用ケージは、ペットショップ内の顧客通路側に面する正面部１と、バックヤード側に面する背面部２と、左右側壁部３，３と、上下壁部４，５とでケージ本体６を形成すると共に、正面部１と背面部２との中間に仕切り７を開閉可能に設けて、ケージ本体６内の空間を正面部１側の寝床ルーム８と背面部２側のトイレルーム９とに区画形成し、ケージ本体６の正面部１は透視窓とし、背面部２は透視可能でその全部又は一部を開閉可能とし、常時は小犬Ｐを寝床ルーム８に入れて仕切り７を閉じておき、所定時間毎に仕切り７を開けて小犬Ｐを寝床ルーム８からトイレルーム９に誘導して排泄させるようにしたから、このケージを使用することによって、小犬Ｐは、寝床ルーム８とトイレルーム９とを区別できるようになり、従って一般家庭で飼育する場合、決められた場所（トイレ）だけで排泄することができるようになる。このように寝床とトイレとを区別させることができるから、きわめて衛生的な環境を作ることができる。
【００１２】
また、この小犬販売用ケージによれば、ケージの清掃作業の時間管理が容易に行なえ、作業効率が良くなる。即ち、このケージの使用して小犬Ｐをトレーニングすることにより、小犬Ｐごとにバラバラの排泄時間を一定時間内にコントロールすることができ、小犬Ｐの排泄のタイミングを予測した作業スケジュールを組むことによって、ペットショップの店員は、計画的な管理に基づいた清掃作業を推進することができる。そして、小犬Ｐがトイレルーム９で排泄をした後は、再び寝床ルーム８に戻すので、その後のトイレルーム９の清掃が簡単に行なえる。また、トイレルーム９の清掃は小犬Ｐが寝床ルーム８に戻った後に行なえばよいから、清掃作業が簡単となる。また、仕切り７は透視可能であるから、仕切り７を閉じた状態でも、ケージ本体６の背面部２側から寝床ルーム８内部の状況を確認することができる。
【００１３】
請求項２に係る発明のように、トイレルーム９にはトイレシーツ１７をセットしたペットトレー１８を配置した場合は、小犬Ｐが排泄を終えて寝床ルーム８に戻った後、ペットトレー１８をトイレルーム９から取り出し、トイレシーツ１７を新しいものと交換すればよいから、トイレルーム９の清掃を簡単容易に行なうことができると共に、ペットトレー１８の使用により、きわめて衛生的となる。
【００１４】
請求項３に係る発明のように、仕切り７を透視可能な折り戸とした場合は、構造が簡単となる利点がある。
【００１５】
請求項４に係る発明のように、仕切り７を透視可能な引き違い戸とした場合は、開閉操作が容易となる利点がある。
【００１６】
請求項５に係る発明のように、ケージ本体６の正面部透視窓１を開閉可能に構成すれば、ペットショップにおいて、顧客がケージ内の小犬Ｐを触ってみたい場合には、店員は、バックヤード側へ回らなくても、店内側、即ち顧客通路側から直接、ケージ本体６の正面部１を開けてケージ内の小犬Ｐを取り出すことができで便利である。
【００１７】
請求項６に係る発明のように、ケージ本体６の正面部透視窓１は好ましくはガラス窓とするのがよい。
【発明を実施するための最良の形態】
【００１８】
以下に本発明の好適な一実施形態を図面に基づいて説明すると、図１は本発明に係る小犬販売用ケージをペットショップ内のバックヤード側から見た斜視図であり、図２の(a) は同小犬販売用ケージの正面図、(b) は背面図であり、図３は同小犬販売用ケージの横断平面図で、仕切りが閉じている状態を示し、図４の(a) は仕切りを開放した状態の小犬販売用ケージの横断平面図であり、(b) はペットトレーの斜視図であり、図５は(a) はペットショップの小犬販売コーナーに陳列されている小犬販売用ケージＫ群の平面図、(b) は正面図、(c) は側面図である。
【００１９】
本発明に係る小犬販売用ケージＫは、図１に示すように、ペットショップのペットコーナー内の顧客通路側、即ち店内側に面する正面部１と、この正面部１の反対側に位置するバックヤード側に面する背面部２と、左右両側壁部３，３と、上壁部４及び下壁部５とによってケージ本体６を形成すると共に、左右両側壁部３，３の中間に仕切り７を開閉可能に設けて、ケージ本体６内の空間部を正面部１側に臨む寝床ルーム８と背面部２側に臨むトイレルーム９とに区画形成したもので、ケージ本体６の正面部１は透視窓とし、背面部２は透視可能にして且つ開閉可能とし、しかして常時は小犬Ｐを寝床ルーム８に入れて仕切り７を閉じておき、所定時間毎に仕切り７を開放して小犬Ｐを寝床ルーム８からトイレルーム９に誘導して排泄させるようにしている。尚、図１では、ケージ本体６の内部構造が分かるように上壁部４を取り外した状態で示している。
【００２０】
上記ケージＫの構造について更に詳しく説明すれば、先ず、正面部１の透視窓は、図１及び図２の(a) に示すように、周枠１ａ内に窓ガラス１ｂを嵌装して形成されるガラス窓からなる。背面部２は、図１、図２の(b) 及び図３から分かるように、背面部２の上下両端部に配設された上下両支持桟１０，１０に支持されて開閉可能な左右一対の開き扉２ａ，２ａからなるもので、各開き扉２ａは、周枠１１内に縦格子材１２を一定間隔に配設することにより形成されていて、周枠１１の一側端部１１ａがケージ本体６の側壁部３にヒンジ１４によって枢着され、周枠１１の他端部１１ｂは、図示は省略するが、支持桟１０に対して適宜に施錠されるようになっている。尚、ここでは、背面部２を左右一対の開き扉２ａ，２ａによって構成しているが、背面部２の全部を１枚の開き扉としてもよい。
【００２１】
仕切り７は、図１、図３及び図４の(a) で分かるように、正面部１と背面部２との中間部上下に設けられた上下框１３，１３にガイドされて、図３に示されるような閉鎖位置と図４の(a) の実線で示されるように折り畳まれる開放位置とに開閉する折り戸からなるもので、この折り戸７は、一端部どうしがヒンジ２０（図３及び図４参照）で枢着された２つの折り戸部材７ａ，７ｂによって構成され、一方の折り戸部材７ａの他端部は、上下上下框１３，１３の一端側の定位置にピン２１で枢着され、他方の折り戸部材７ｂの他端部は、スライドピン２２により、上框１３の下面側と下框１３の上面側に設けられたガイド溝１３ａ，１３ａに沿ってスライド案内されるようになっている。
【００２２】
そして、この折り戸７の各折り戸部材７ａ，７ｂは、透明なガラス板又はプラスチック板によって形成されるか、あるいは背面部２の扉２ａと同様に周枠に格子部材を配設した格子状構造体からなるものとする。
【００２３】
ケージ本体６のトイレルーム９にはトイレシーツ１７をセットしたペットトレー１８が配置されている。このペットトレー１８は、図４の(b) に示すように、トレー本体１８ａ上に吸水性の良好なトイレシーツ１７をセットし、このトイレシーツ１７の上からストッパー枠１８ｂを被せて、両端側２箇所のバックル１８ｃにより留めるようにした周知構造のもので、図１、図３及び図４に示すようにトイレルーム９の床部に嵌まり込むようになっていて、簡単に取り外しできるようになっている。
【００２４】
尚、ケージ本体６の左右各側壁部３、上壁部４及び下壁部５は、木材、プラスチック材、金属材など任意の材料の板材によって形成され、また背面部２の各開き扉２ａも、木材、プラスチック材、金属材など任意の材料のもので形成される。
【００２５】
次に、上記のように構成される小犬販売用ケージＫの使用によるペットショップ内での小犬Ｐのトレーニング方法について説明する。
【００２６】
先ず、図３に示すように、ケージ本体６の寝床ルーム８とトイレルーム９とを区画する仕切り７を閉めた状態で、小犬Ｐを寝床ルーム８に入れて、一定時間過ごさせ、その間は排泄を我慢させる。尚、小犬Ｐは、行動が制限されるようなある程度狭い環境では排泄を我慢しようとする習性がある。
【００２７】
そして、一定時間毎に図４の(a) に示すように仕切り７を開けて小犬Ｐを寝床ルーム８からトイレルーム９に誘導する。この場合の一定時間とは、小犬Ｐの月齢や個体差にもよるが、例えば生後４週齢の小犬Ｐが排泄を我慢できるのは約１時間である。
【００２８】
小犬Ｐがトイレルーム９に入ったならば、仕切り７を閉めて、小犬Ｐがトイレルーム９内のペットトレー１８上で排泄をするまでしばらく待つ。
【００２９】
小犬Ｐが排泄をしたら、ご褒美をあげ、仕切り７を開けて小犬Ｐをトイレルーム９から寝床ルーム８に戻し、仕切り７を閉めて図３の(a) に示すような状態とする。このように小犬Ｐが正しい場所で排泄した際、ご褒美をあげることを繰り返すことによって、小犬Ｐはその場所で排泄するとご褒美がもらえることを学習する。
【００３０】
以上のようなトレーニングを繰り返すことにより、小犬Ｐは、寝床ルーム８とトイレルーム９を区別できるようになって、決められた場所（トイレ）だけで排泄することができるようになる。
【００３１】
この小犬販売用ケージＫにおいては、トイレルーム９の掃除は小犬Ｐがトイレルーム９から寝床ルーム８に戻った後に行なえばよいから、清掃作業が簡単で且つ容易となる。因みに、従来のケージにあっては、ケージ内を掃除する時に店員は、小犬を抱きかかえながら作業を行なわなければならなかったため、店員にとって作業時間及び労力共に大きな負担となっていたが、このケージＫでは、小犬Ｐがトイレルーム９で排泄をした後は、再び寝床ルーム８に移すので、その後のトイレの掃除を簡単に行なうことができる。
【００３２】
またトイレルーム９の清掃を行なう場合、小犬Ｐが排泄を終えて寝床ルーム８に戻った後、トイレルーム側背面部の開き扉２ａを開けてペットトレー１８をトイレルーム９から取り出し、トイレシーツ１７を新しいものと交換すればよいから、トイレルーム９の清掃を一層簡単容易に行なうことができる。
【００３３】
また、この小犬販売用ケージＫでは、仕切り７が透視可能であるため、仕切り７を閉じた状態でも、ケージ本体６の背面部２側から寝床ルーム８内部の状況を確認することができる。また、仕切り７が透視可能な折り戸からなるため、構造が簡単となる利点がある。この仕切り７としては、折り戸に限らず、例えば、ガラス板又はプラスチック板からなる２枚の戸を引き違い式に取り付けて開閉するようにした引き違い戸でもよい。このように仕切り７を引き違い戸とした場合には、構造が簡単であると共に、その開閉操作が容易となる。
【００３４】
ケージ本体６の正面部１は、この実施形態に例示したように透視体がガラスであるガラス窓の他に、透視体が透明プラスチック板であるプラスチック製窓でもよい。また、このガラス製又はプラスチック製の正面部１は、開き扉のように開閉可能としてもよく、その場合、正面部１の全部を開閉可能としてもよいし、その一部を開閉可能としてもよい。
【００３５】
また、ケージ本体６の背面部２は、この実施形態では、背面部２の全部を開閉可能としているが、背面部２の片側半分を開き扉等の開閉可能なものとし、他の半分を開閉不能な格子戸やガラス戸等にすることができる。
【００３６】
さらに、この実施形態では、トイレルーム９にはトイレシーツ１７をセットしたペットトレー１８を配置しているが、このペットトレー１８の代わりに、新聞紙又はこれに類似するものを使用してもよい。但し、ペットトレー１８は、新聞紙等に比べると、きわめて衛生的である。
【００３７】
図５には、上述した本発明に係る小犬販売用ケージＫを左右一列状に並べると共に上下２段に積み重ねてペットショップの小犬販売コーナーに陳列した状態の小犬販売用ケージＫ群を示し、(a) は平面図、(b) は正面図、(c) は側面図である。
【図面の簡単な説明】
【００３８】
【図１】本発明に係る小犬販売用ケージをペットショップ内のバックヤード側から見た斜視図である。
【図２】(a) は同小犬販売用ケージの正面図、(b) は背面図である。
【図３】同小犬販売用ケージの横断平面図で、仕切りが閉じている状態を示す。
【図４】(a) は仕切りが開放した状態の小犬販売用ケージの横断平面図であり、(b) はペットトレーの斜視図である。
【図５】(a) はペットショップの小犬販売コーナーに陳列されている小犬販売用ケージ群の平面図、(b) は正面図、(c) は側面図である。
【符号の説明】
【００３９】
１            正面部
２            背面部
３            側壁部
４            上壁部
５            下壁部
６            ケージ本体
７            仕切り
８            寝床ルーム
９            トイレルーム
１７          トイレシート
１８          ペットトレー
【図１】
2008278767.tif 000003
【図２】
2008278767.tif 000004
【図３】
2008278767.tif 000005
【図４】
2008278767.tif 000006
【図５】
2008278767.tif 000007
【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
ペットショップ内に陳列される子犬販売用ケージであって、ペットショップ内の顧客通路側に面する正面部と、その反対側のバックヤード側に面する背面部と、左右側壁部と、上下壁部とによってケージ本体を形成すると共に、正面部と背面部との中間に透視可能な仕切りを開閉可能に設けて、ケージ本体内の空間を正面部側に臨む寝床ルームと背面部側に臨むトイレルームとに区画形成し、ケージ本体の正面部は透視窓とし、背面部は透視可能で且つその全部又は一部を開閉可能とし、常時は子犬を寝床ルームに入れて仕切りを閉じておき、所定時間毎に仕切りを開けて子犬を寝床ルームからトイレルームに誘導して排泄させるようにしてなる子犬販売用ケージ。
【請求項２】
トイレルームには排泄用シーツをセットしたペットトレーを配置してなる請求項１に記載の子犬販売用ケージ。
【請求項３】
仕切りは透視可能な折り戸からなる請求項１又は２に記載の子犬販売用ケージ。
【請求項４】
仕切りは透視可能な引き違い戸からなる請求項１又は２に記載の子犬販売用ケージ。
【請求項５】
ケージ本体の正面部透視窓を開閉可能としてなる請求項１〜４の何れかに記載の子犬販売用ケージ。
【請求項６】
ケージ本体の正面部透視窓はガラス窓からなる請求項１〜５の何れかに記載の子犬販売用ケージ。
【手続補正２】
【補正対象書類名】明細書
【補正対象項目名】全文
【補正方法】変更
【補正の内容】
【発明の詳細な説明】
【技術分野】
【０００１】
本発明は、ペットショップの子犬販売コーナーに陳列される子犬販売用ケージに関するもので、自分の寝場所と排泄場所を区別できて常に所定の排泄場所で排泄ができるように基本的なトレーニングを行なわせるようにした子犬販売用ケージに関する。
【背景技術】
【０００２】
従来の子犬販売用ケージとして特許公報等の具体的な公知文献を挙げることはできないが、従来よりペットショップの子犬販売コーナーに陳列されている子犬販売用ケージは、ペットショップ内の顧客通路側に面する正面側の透視窓部と、その反対側のバックヤード側に面する開閉可能な背面側扉と、左右側壁部と、上下壁部とにより構成されるもので、このケージ内のワンルームに子犬を入れておくようになっている。
【発明の開示】
【発明が解決しようとする課題】
【０００３】
犬は、本能的に自分の寝る場所や食事の場所をできるだけ清潔に保とうとし、寝る場所と排泄する場所とを分ける習性を有する。然るに、ケージ内のワンルームに子犬を入れておくようにした従来の子犬販売用ケージによると、寝場所が排泄場所であり、排泄場所が寝場所であることから、子犬は、寝場所と排泄場所との区別がつかなくなると共に、寝場所を汚すことに慣れてしまって、好ましくない習慣を身につけることになり、また排泄場所と寝場所が同じスペースにあることで、ケージ内の子犬の排泄物によって自分の体を汚し易く、ショップ来店客にも不衛生な印象を与えることになり、一方、ペットショップの店員は、頻繁にケージ内を掃除しなければならず、しかもケージ内を掃除する時に店員は、子犬を抱きかかえながらの清掃作業を余儀なくされるため、店員にとって作業時間及び労力ともに大きな負担となっている。
【０００４】
本発明は、上記の課題に鑑み、販売すべき子犬が自分の寝場所と排泄場所を区別できて常に所定の場所で排泄できるようにトレーニングすると共に、ペットショップの店員にとってケージ内の清掃が容易で、作業時間及び労力の負担が少なくなるようにした子犬販売用ケージを提供することを目的とする。
【課題を解決するための手段】
【０００５】
上記課題を解決するための手段を、後述する実施形態の参照符号を付して説明すると、請求項１に係る発明の子犬販売用ケージは、ペットショップ内に陳列される子犬販売用ケージであって、ペットショップ内の顧客通路側に面する正面部１と、その反対側のバックヤード側に面する背面部２と、左右側壁部３，３と、上下壁部４，５とによってケージ本体６を形成すると共に、正面部１と背面部２との中間に透視可能な仕切り７を開閉可能に設けて、ケージ本体６内の空間を正面部１側に臨む寝床ルーム８と背面部２側に臨むトイレルーム９とに区画形成し、ケージ本体６の正面部１は透視窓とし、背面部２は透視可能で且つその全部又は一部を開閉可能とし、常時は子犬Ｐを寝床ルーム８に入れて仕切り７を閉じておき、所定時間毎に仕切り７を開けて子犬Ｐを寝床ルーム８からトイレルーム９に誘導して排泄させるようにしてなることを特徴とする。ここで、正面部１と背面部２との中間とは、正面部１と背面部２との間という意味で、仕切り７は、正面部１に寄った位置でも、背面部２に寄った位置でもよく、また正面部１と背面部２との真ん中でもよく、従って寝床ルーム８をトイレルーム９より狭くしてもよいし、それより広くしてもよく、また両ルーム８，９を同じ大きさにしてもよい。
【０００６】
請求項２は、請求項１に記載の子犬販売用ケージにおいて、トイレルーム９には排泄用シーツ１７をセットしたペットトレー１８を配置してなることを特徴とする。
【０００７】
請求項３は、請求項１又は２に記載の子犬販売用ケージにおいて、仕切り７は透視可能な折り戸からなることを特徴とする。
【０００８】
請求項４は、請求項１又は２に記載の子犬販売用ケージにおいて、仕切りは透視可能な引き違い戸からなることを特徴とする。
【０００９】
請求項５は、請求項１〜４の何れかに記載の子犬販売用ケージにおいて、ケージ本体の正面部透視窓を開閉可能としてなることを特徴とする。
【００１０】
請求項６は、請求項１〜５の何れかに記載の子犬販売用ケージにおいて、ケージ本体の正面部透視窓はガラス窓からなることを特徴とする。
【発明の効果】
【００１１】
上記解決手段による発明の効果を、後述する実施形態の参照符号を付して説明すると、請求項１に係る発明の子犬販売用ケージは、ペットショップ内の顧客通路側に面する正面部１と、バックヤード側に面する背面部２と、左右側壁部３，３と、上下壁部４，５とでケージ本体６を形成すると共に、正面部１と背面部２との中間に仕切り７を開閉可能に設けて、ケージ本体６内の空間を正面部１側の寝床ルーム８と背面部２側のトイレルーム９とに区画形成し、ケージ本体６の正面部１は透視窓とし、背面部２は透視可能でその全部又は一部を開閉可能とし、常時は子犬Ｐを寝床ルーム８に入れて仕切り７を閉じておき、所定時間毎に仕切り７を開けて子犬Ｐを寝床ルーム８からトイレルーム９に誘導して排泄させるようにしたから、このケージを使用することによって、子犬Ｐは、寝床ルーム８とトイレルーム９とを区別できるようになり、従って一般家庭で飼育する場合、決められた場所（トイレ）だけで排泄することができるようになる。このように寝床とトイレとを区別させることができるから、きわめて衛生的な環境を作ることができる。
【００１２】
また、この子犬販売用ケージによれば、ケージの清掃作業の時間管理が容易に行なえ、作業効率が良くなる。即ち、このケージの使用して子犬Ｐをトレーニングすることにより、子犬Ｐごとにバラバラの排泄時間を一定時間内にコントロールすることができ、子犬Ｐの排泄のタイミングを予測した作業スケジュールを組むことによって、ペットショップの店員は、計画的な管理に基づいた清掃作業を推進することができる。そして、子犬Ｐがトイレルーム９で排泄をした後は、再び寝床ルーム８に戻すので、その後のトイレルーム９の清掃が簡単に行なえる。また、トイレルーム９の清掃は子犬Ｐが寝床ルーム８に戻った後に行なえばよいから、清掃作業が簡単となる。また、仕切り７は透視可能であるから、仕切り７を閉じた状態でも、ケージ本体６の背面部２側から寝床ルーム８内部の状況を確認することができる。
【００１３】
請求項２に係る発明のように、トイレルーム９にはトイレシーツ１７をセットしたペットトレー１８を配置した場合は、子犬Ｐが排泄を終えて寝床ルーム８に戻った後、ペットトレー１８をトイレルーム９から取り出し、トイレシーツ１７を新しいものと交換すればよいから、トイレルーム９の清掃を簡単容易に行なうことができると共に、ペットトレー１８の使用により、きわめて衛生的となる。
【００１４】
請求項３に係る発明のように、仕切り７を透視可能な折り戸とした場合は、構造が簡単となる利点がある。
【００１５】
請求項４に係る発明のように、仕切り７を透視可能な引き違い戸とした場合は、開閉操作が容易となる利点がある。
【００１６】
請求項５に係る発明のように、ケージ本体６の正面部透視窓１を開閉可能に構成すれば、ペットショップにおいて、顧客がケージ内の子犬Ｐを触ってみたい場合には、店員は、バックヤード側へ回らなくても、店内側、即ち顧客通路側から直接、ケージ本体６の正面部１を開けてケージ内の子犬Ｐを取り出すことができで便利である。
【００１７】
請求項６に係る発明のように、ケージ本体６の正面部透視窓１は好ましくはガラス窓とするのがよい。
【発明を実施するための最良の形態】
【００１８】
以下に本発明の好適な一実施形態を図面に基づいて説明すると、図１は本発明に係る子犬販売用ケージをペットショップ内のバックヤード側から見た斜視図であり、図２の(a) は同子犬販売用ケージの正面図、(b) は背面図であり、図３は同子犬販売用ケージの横断平面図で、仕切りが閉じている状態を示し、図４の(a) は仕切りを開放した状態の子犬販売用ケージの横断平面図であり、(b) はペットトレーの斜視図であり、図５は(a) はペットショップの子犬販売コーナーに陳列されている子犬販売用ケージＫ群の平面図、(b) は正面図、(c) は側面図である。
【００１９】
本発明に係る子犬販売用ケージＫは、図１に示すように、ペットショップのペットコーナー内の顧客通路側、即ち店内側に面する正面部１と、この正面部１の反対側に位置するバックヤード側に面する背面部２と、左右両側壁部３，３と、上壁部４及び下壁部５とによってケージ本体６を形成すると共に、左右両側壁部３，３の中間に仕切り７を開閉可能に設けて、ケージ本体６内の空間部を正面部１側に臨む寝床ルーム８と背面部２側に臨むトイレルーム９とに区画形成したもので、ケージ本体６の正面部１は透視窓とし、背面部２は透視可能にして且つ開閉可能とし、しかして常時は子犬Ｐを寝床ルーム８に入れて仕切り７を閉じておき、所定時間毎に仕切り７を開放して子犬Ｐを寝床ルーム８からトイレルーム９に誘導して排泄させるようにしている。尚、図１では、ケージ本体６の内部構造が分かるように上壁部４を取り外した状態で示している。
【００２０】
上記ケージＫの構造について更に詳しく説明すれば、先ず、正面部１の透視窓は、図１及び図２の(a) に示すように、周枠１ａ内に窓ガラス１ｂを嵌装して形成されるガラス窓からなる。背面部２は、図１、図２の(b) 及び図３から分かるように、背面部２の上下両端部に配設された上下両支持桟１０，１０に支持されて開閉可能な左右一対の開き扉２ａ，２ａからなるもので、各開き扉２ａは、周枠１１内に縦格子材１２を一定間隔に配設することにより形成されていて、周枠１１の一側端部１１ａがケージ本体６の側壁部３にヒンジ１４によって枢着され、周枠１１の他端部１１ｂは、図示は省略するが、支持桟１０に対して適宜に施錠されるようになっている。尚、ここでは、背面部２を左右一対の開き扉２ａ，２ａによって構成しているが、背面部２の全部を１枚の開き扉としてもよい。
【００２１】
仕切り７は、図１、図３及び図４の(a) で分かるように、正面部１と背面部２との中間部上下に設けられた上下框１３，１３にガイドされて、図３に示されるような閉鎖位置と図４の(a) の実線で示されるように折り畳まれる開放位置とに開閉する折り戸からなるもので、この折り戸７は、一端部どうしがヒンジ２０（図３及び図４参照）で枢着された２つの折り戸部材７ａ，７ｂによって構成され、一方の折り戸部材７ａの他端部は、上下上下框１３，１３の一端側の定位置にピン２１で枢着され、他方の折り戸部材７ｂの他端部は、スライドピン２２により、上框１３の下面側と下框１３の上面側に設けられたガイド溝１３ａ，１３ａに沿ってスライド案内されるようになっている。
【００２２】
そして、この折り戸７の各折り戸部材７ａ，７ｂは、透明なガラス板又はプラスチック板によって形成されるか、あるいは背面部２の扉２ａと同様に周枠に格子部材を配設した格子状構造体からなるものとする。
【００２３】
ケージ本体６のトイレルーム９にはトイレシーツ１７をセットしたペットトレー１８が配置されている。このペットトレー１８は、図４の(b) に示すように、トレー本体１８ａ上に吸水性の良好なトイレシーツ１７をセットし、このトイレシーツ１７の上からストッパー枠１８ｂを被せて、両端側２箇所のバックル１８ｃにより留めるようにした周知構造のもので、図１、図３及び図４に示すようにトイレルーム９の床部に嵌まり込むようになっていて、簡単に取り外しできるようになっている。
【００２４】
尚、ケージ本体６の左右各側壁部３、上壁部４及び下壁部５は、木材、プラスチック材、金属材など任意の材料の板材によって形成され、また背面部２の各開き扉２ａも、木材、プラスチック材、金属材など任意の材料のもので形成される。
【００２５】
次に、上記のように構成される子犬販売用ケージＫの使用によるペットショップ内での子犬Ｐのトレーニング方法について説明する。
【００２６】
先ず、図３に示すように、ケージ本体６の寝床ルーム８とトイレルーム９とを区画する仕切り７を閉めた状態で、子犬Ｐを寝床ルーム８に入れて、一定時間過ごさせ、その間は排泄を我慢させる。尚、子犬Ｐは、行動が制限されるようなある程度狭い環境では排泄を我慢しようとする習性がある。
【００２７】
そして、一定時間毎に図４の(a) に示すように仕切り７を開けて子犬Ｐを寝床ルーム８からトイレルーム９に誘導する。この場合の一定時間とは、子犬Ｐの月齢や個体差にもよるが、例えば生後４週齢の子犬Ｐが排泄を我慢できるのは約１時間である。
【００２８】
子犬Ｐがトイレルーム９に入ったならば、仕切り７を閉めて、子犬Ｐがトイレルーム９内のペットトレー１８上で排泄をするまでしばらく待つ。
【００２９】
子犬Ｐが排泄をしたら、ご褒美をあげ、仕切り７を開けて子犬Ｐをトイレルーム９から寝床ルーム８に戻し、仕切り７を閉めて図３の(a) に示すような状態とする。このように子犬Ｐが正しい場所で排泄した際、ご褒美をあげることを繰り返すことによって、子犬Ｐはその場所で排泄するとご褒美がもらえることを学習する。
【００３０】
以上のようなトレーニングを繰り返すことにより、子犬Ｐは、寝床ルーム８とトイレルーム９を区別できるようになって、決められた場所（トイレ）だけで排泄することができるようになる。
【００３１】
この子犬販売用ケージＫにおいては、トイレルーム９の掃除は子犬Ｐがトイレルーム９から寝床ルーム８に戻った後に行なえばよいから、清掃作業が簡単で且つ容易となる。因みに、従来のケージにあっては、ケージ内を掃除する時に店員は、子犬を抱きかかえながら作業を行なわなければならなかったため、店員にとって作業時間及び労力共に大きな負担となっていたが、このケージＫでは、子犬Ｐがトイレルーム９で排泄をした後は、再び寝床ルーム８に移すので、その後のトイレの掃除を簡単に行なうことができる。
【００３２】
またトイレルーム９の清掃を行なう場合、子犬Ｐが排泄を終えて寝床ルーム８に戻った後、トイレルーム側背面部の開き扉２ａを開けてペットトレー１８をトイレルーム９から取り出し、トイレシーツ１７を新しいものと交換すればよいから、トイレルーム９の清掃を一層簡単容易に行なうことができる。
【００３３】
また、この子犬販売用ケージＫでは、仕切り７が透視可能であるため、仕切り７を閉じた状態でも、ケージ本体６の背面部２側から寝床ルーム８内部の状況を確認することができる。また、仕切り７が透視可能な折り戸からなるため、構造が簡単となる利点がある。この仕切り７としては、折り戸に限らず、例えば、ガラス板又はプラスチック板からなる２枚の戸を引き違い式に取り付けて開閉するようにした引き違い戸でもよい。このように仕切り７を引き違い戸とした場合には、構造が簡単であると共に、その開閉操作が容易となる。
【００３４】
ケージ本体６の正面部１は、この実施形態に例示したように透視体がガラスであるガラス窓の他に、透視体が透明プラスチック板であるプラスチック製窓でもよい。また、このガラス製又はプラスチック製の正面部１は、開き扉のように開閉可能としてもよく、その場合、正面部１の全部を開閉可能としてもよいし、その一部を開閉可能としてもよい。
【００３５】
また、ケージ本体６の背面部２は、この実施形態では、背面部２の全部を開閉可能としているが、背面部２の片側半分を開き扉等の開閉可能なものとし、他の半分を開閉不能な格子戸やガラス戸等にすることができる。
【００３６】
さらに、この実施形態では、トイレルーム９にはトイレシーツ１７をセットしたペットトレー１８を配置しているが、このペットトレー１８の代わりに、新聞紙又はこれに類似するものを使用してもよい。但し、ペットトレー１８は、新聞紙等に比べると、きわめて衛生的である。
【００３７】
図５には、上述した本発明に係る子犬販売用ケージＫを左右一列状に並べると共に上下２段に積み重ねてペットショップの子犬販売コーナーに陳列した状態の子犬販売用ケージＫ群を示し、(a) は平面図、(b) は正面図、(c) は側面図である。
【図面の簡単な説明】
【００３８】
【図１】本発明に係る子犬販売用ケージをペットショップ内のバックヤード側から見た斜視図である。
【図２】(a) は同子犬販売用ケージの正面図、(b) は背面図である。
【図３】同子犬販売用ケージの横断平面図で、仕切りが閉じている状態を示す。
【図４】(a) は仕切りが開放した状態の子犬販売用ケージの横断平面図であり、(b) はペットトレーの斜視図である。
【図５】(a) はペットショップの子犬販売コーナーに陳列されている子犬販売用ケージ群の平面図、(b) は正面図、(c) は側面図である。
【符号の説明】
【００３９】
１            正面部
２            背面部
３            側壁部
４            上壁部
５            下壁部
６            ケージ本体
７            仕切り
８            寝床ルーム
９            トイレルーム
１７          トイレシート
１８          ペットトレー